(57)【要約】放送受信装置３００は、放送番組、ソフトウェア及びファームウェアの更新を受信する能力を維持したまま、省電力スタンバイモードで動作する。更新センサ（３０６）は、スタンバイモードにおいても動作しており、放送通信チャンネルを監視し、ウェークアップスイッチ（３０４）を制御して、スタンバイモードにおいて最も消費電力の大きい回路に供給される電力を遮断する。スタンバイモードにおいて、放送受信装置（３００）が未処理の更新に関する指示を受信すると、更新センサ（３０６）は、電源がオンの状態であることをユーザに表示することなく、更新を受信するのに必要な回路に電力を供給する。
2004524719.tif 000002
【特許請求の範囲】
【請求項１】
ａ．電源出力端子（ＰＯＷＥＲ）を有する電源（２２０）と、
ｂ．放送インタフェース回路（３０２）とを備え、
上記放送インターフェース回路（３０２）は、
ｉ．選択された搬送波周波数に関して変調された複数の放送通信信号（ＢＲＯＡＤＣＡＳＴ）を、チューナ入力端子上で受信するインタフェース回路入力端子と、
ｉｉ．上記インタフェース回路入力端子に接続された上記チューナ入力端子を有し、上記複数の放送通信信号の中から１つの信号を選択し、選択した信号をチューナ出力端子に出力する第１のチューナ（４００）と、
ｉｉｉ．上記インタフェース回路入力端子に接続されたセンサ入力端子と、更新センサ出力端子を有し、第１の選択された信号に応じて、ウェークアップ信号を該更新センサ出力端子に出力する更新センサ（３０６）と、
ｉｖ．上記電源出力端子（ＰＯＷＥＲ）に接続されたウェークアップスイッチ入力端子と、ウェークアップスイッチ出力端子と、上記更新センサ出力端子に接続されたウェークアップスイッチ制御端子とを有するウェークアップスイッチ（３０４）とを有することを特徴とする放送受信装置（３００）。
【請求項２】
上記更新センサ（３０６）は、更に、上記第１の選択された信号に関連する搬送周波数に同調する第２のチューナ（５００）を有することを特徴とする請求項１記載の放送受信装置（３００）。
【請求項３】
上記更新センサ（３０６）は、更に、上記第２のチューナ（５００）と上記ウェークアップスイッチ制御端子との間に接続されたデジタイザ（５０２）を有することを特徴とする請求項２記載の放送受信装置（３００）。
【請求項４】
上記第１のチューナ（４００）は、上記ウェークアップスイッチ出力端子に接続された電力端子（ｐｏｗｅｒ ｔｅｒｍｉｎａｌ）（ＳＰ１）を有することを特徴とする請求項１記載の放送受信装置（３００）。
【請求項５】
更に、第２の電源スイッチ（３１０）を介して上記電源（２２０）に接続された電力入力端子を有し、当該放送受信装置（３００）の電源投入状態を示す表示器（２１６）を備える請求項１記載の放送受信装置（３００）。
【請求項６】
上記表示器（２１６）は、上記ウェークアップ信号に応答して当該放送受信装置（３００）が電源投入状態になったことを表示しないことを特徴とする請求項５記載の放送受信装置（３００）。
【請求項７】
更に、上記ウェークアップスイッチ出力端子に接続されたプロセッサ電力端子を有するデジタルプロセッサ（２０２）を備える請求項１記載の放送受信装置（３００）。
【請求項８】
ａ．ウェークアップ命令を時々含む複数の信号を、対応する複数の搬送周波数で放送する放送ヘッドエンド（１０２）と、
ｂ．上記複数の信号を受信する受信装置（３００）とを備え、
上記各受信装置は、
ｉ．電源出力端子（ＰＯＷＥＲ）を有する電源（２２０）と、
ｉｉ．放送インタフェース回路（３０２）とを有し、
上記放送インタフェース回路（３０２）は、
（１）選択された搬送周波数に関して変調された複数の放送通信信号を、チューナ入力端子で受信するインタフェース回路入力端子と、
（２）上記インタフェース回路入力端子に接続されたセンサ入力端子と、更新センサ出力端子とを有し、第１の選択された信号に応じて、ウェークアップ信号を該更新センサ出力端子に出力する更新センサ（３０４，３０６）と、
（３）上記電源出力端子（ＰＯＷＥＲ）に接続されたウェークアップスイッチ入力端子と、ウェークアップスイッチ出力端子と、上記更新センサ出力端子に接続されたウェークアップスイッチ制御端子とと有するウェークアップスイッチ（３０４，４１０）とを有することを特徴とする放送通信ネットワーク。
【請求項９】
上記更新センサ（３０４，３０６）は、更に、上記第１の選択された信号に関連する搬送周波数に同調する第１のチューナ（５００）を有することを特徴する請求項８記載の放送通信ネットワーク。
【請求項１０】
上記更新センサ（３０４，３０６）は、更に、上記第１のチューナ（５００）と上記ウェークアップスイッチ制御端子との間に接続されたデジタイザ（５０２）を有することを特徴とする請求項９記載の放送通信ネットワーク。
【請求項１１】
上記放送インタフェース回路（３０２）は、上記インタフェース回路入力端子に接続されたチューナ入力端子を有する第２のチューナ（４００）を有し、該第２のチューナ（４００）は、複数の信号の中から１つの信号を選択し、選択した信号をチューナ出力端子に出力することを特徴とする請求項９記載の放送通信ネットワーク。
【請求項１２】
更に、デジタルプロセッサ（２０２）を備え、
上記放送インタフェース回路（３０２）は、更に、上記第１のチューナ（５００）と上記デジタルプロセッサ（２０２）との間に接続されたデジタイザ（５０２）を有することを特徴とする請求項１１記載の放送通信ネットワーク。
【請求項１３】
上記第２のチューナ（４００）は、上記ウェークアップスイッチ出力端子に接続された電力端子を有することを特徴とする請求項１１記載の放送通信ネットワーク。
【請求項１４】
上記各受信装置（３００）は、更に、当該受信装置（３００）の電源投入状態を示す表示器（２１６）を有し、該表示器（２１６）は、第２の電源スイッチ（３１０）を介して上記電源（２２０）に接続された電力入力端子を有することを特徴とする請求項８記載の放送通信ネットワーク。
【請求項１５】
上記表示器（２１６）は、上記ウェークアップ信号に応答して上記放送受信装置（３００）が電源の入った状態になったことを表示しないことを特徴とする請求項１４記載の放送通信ネットワーク。
【請求項１６】
放送受信装置における消費電力低減方法において、
ａ．スタンバイモードにおいて、電源投入命令を発するユーザ入力装置（１０８）を監視するステップと、
ｂ．上記電源投入命令に応じた上記放送受信装置（３００）の電源投入状態を表示するステップと、
ｃ．電源切断命令を発する上記ユーザ入力装置（１０８）を監視するステップと、
ｄ．上記電源切断命令に応じた上記放送受信装置（３００）のスタンバイ状態表示するステップと、
ｅ．上記放送受信装置（３００）がスタンバイ状態にあるときに、ウェークアップ命令用の放送通信チャンネルを監視するステップとを有する消費電力低減方法。
【請求項１７】
更に、ウェークアップ命令を受信したときに、上記放送受信装置（３００）の第１の部分に電力を供給し、該放送受信装置（３００）が更新を受信している間に、該放送受信装置（３００）がスタンバ状態にあることを表示するステップを有する請求項１６記載の消費電力低減方法。
【請求項１８】
スタンバイ状態において電源投入命令を受信したときに、上記放送受信装置（３００）の上記第１の部分と第２の部分とに電力を供給するとともに、電源投入状態を表示するステップを有する請求項１７記載の消費電力低減方法。
【請求項１９】
上記電源投入状態を表示するステップは、映像信号をビデオ表示装置に供給することを含むことを特徴とする請求項１６記載の消費電力低減方法。
【請求項２０】
上記ユーザ入力装置（１０８）は、赤外線受信機からなることを特徴とする請求項１６記載の消費電力低減方法。
【請求項２１】
ａ．電源投入命令を発するユーザ入力装置（１０８）を監視する監視手段（２１４）と、
ｂ．上記電源投入命令に応じて上記放送受信装置（３００）の電源投入状態を表示する表示手段（２１６）と、
ｃ．電源切断命令を発する上記ユーザ入力装置（１０８）を監視する監視手段（２１４）と、
ｄ．上記電源切断命令に応じた上記放送受信装置（３００）のスタンバイ状態を表示する表示手段（２１６）と、
ｅ．上記放送受信装置（３００）がスタンバイ状態にあるときに、ウェークアップ命令用の放送通信チャンネルを監視する監視手段（３０６）とを備える放送受信装置（３００）。
【請求項２２】
上記放送通信チャンネルを監視する監視手段は、上記ウェークアップ命令に応答して、デジタルプロセッサ（２０２）に電力を供給する電源スイッチ（４１０）を備えることを特徴とする請求項２１記載の放送受信装置（３００）。
【請求項２３】
上記表示手段（２１６）は、上記電源スイッチ（４１０）が、上記ウェークアップ命令に応答して上記デジタルプロセッサ（２０２）に電力を供給したときに、スタンバイ状態を表示することを特徴とする請求項２２記載の放送受信装置（３００）。
【発明の詳細な説明】
【０００１】
【発明の属する技術分野】
本発明は、放送受信装置、この放送受信装置を用いた放送通信ネットワーク、及びこの放送受信装置における消費電力低減方法に関する。なお、本出願は、米国特許法第１１１条第（ｂ）項に従って２０００年１０月３日に出願された仮特許出願、出願番号６０／２３７，５６７号、発明の名称が「スタンバイモードにある装置をウェークアップさせる方法（Ｗａｋｅ Ｕｐ Ｍｅｔｈｏｄｓ ｆｏｒ Ｅｑｕｉｐｍｅｎｔ ｉｎ ｔｈｅ Ｓｔａｎｄ−ｂｙ Ｍｏｄｅ）」の優先権を、米国特許法第１１９条第（ｅ）項（１）に基き主張するものである。
【０００２】
【従来の技術】
図１は、放送テレビジョンシステム１００の構成を示す概念図である。放送テレビジョンシステム１００は、放送ヘッドエンド１０２を備え、放送ヘッドエンド１０２は、放送ネットワークを介して多数の受信機１０４に接続されている。放送ネットワークは、有線（例えばケーブルシステム）、無線又はそれらの組合せであってもよい。放送ヘッドエンド１０２は、オプションとして、放送用デジタル情報を格納するサーバ（図示せず）を備えていてもよく、このサーバは放送局によって管理されている。同様のサーバを他の企業が管理していてもよく、このサーバは、別の放送媒体、すなわちモデムや衛星回線などで受信機１０４に直接接続し、受信機１０４で利用できるようにしてもよい。
【０００３】
各受信機１０４は、表示器に接続され、ほとんどの場合、この表示器は従来のテレビジョン受信機１０６である。各受信機１０４は、オーディオ／ビデオケーブル１１０を介してテレビジョン受信機１０６に接続される。利用者は、ユーザ入力装置、代表的には赤外線リモートコントロール１０８又は各受信機１０４に設けられた制御盤（図示せず）を介して受信機１０４を制御する。
【０００４】
図２は、典型的なデジタル受信機１０４の構成を示すブロック図である。デジタルプロセッサ２０２は、受信機１０４の「頭脳」である。デジタルプロセッサ２０２は、例えば中央演算装置（ＣＰＵ）や、メモリなどを含む多数の電気回路（ｃｏｍｐｏｎｅｎｔ）を有する。デジタルプロセッサ２０２には、所望の機能に応じて多くの種類がある。デジタルプロセッサ２０２の内部動作は、本明細書の開示範囲外である。典型的なセットトップボックスに関する更なる情報は、米国特許５，９４０，０７４号、発明の名称「ネットワークを介したソフトウェアの遠隔更新（Ｒｅｍｏｔｅ Ｕｐｇｒａｄｅ ｏｆ Ｓｏｆｔｗａｒｅ Ｏｖｅｒ ａ Ｎｅｔｗｏｒｋ）」に開示されており、この米国特許は参照することにより本願に援用される。
【０００５】
赤外線インタフェース２１４は、赤外線リモートコントロール１０８からのインストラクションを受信する。簡易表示器２１６は、例えば受信機１０４の電源が入っているかを、また電源が入っている場合には、放送インタフェース回路２０４がどのチャンネルを選局しているかをユーザに視覚的に表示する。デジタルプロセッサ２０２は、映像表示器を接続して、ユーザに更なる情報を提供することができる。受信機１０４は、オプションとして、インターネットに接続するためのモデム２１０と、ディスクドライブなどの（ｓｏｍｅ ｆｏｒｍ ｏｆ）大容量の内蔵記憶装置（ｓｔｏｒａｇｅ）２１２とを備える。
【０００６】
デジタルプロセッサ２０２には、放送インタフェース回路２０４によって放送映像信号から抽出されたデータが供給される。放送インタフェース回路２０４は、１つ以上のチューナを備え、チューナは、多数の入力放送信号の中から１つの信号を選局し、関連する搬送周波数を除去する。放送インタフェース回路２０４は、得られる信号をデジタル化してオーディオ及びビデオデータを生成し、得られるデジタル情報をデジタルプロセッサ２０２に供給する。
【０００７】
デジタルプロセッサ２０２は、放送インタフェース回路２０４からの情報に対して、オーディオ及びビデオデータをオーディオデジタル／アナログ変換器（以下、Ｄ／Ａ変換器という。）２０６及びビデオエンコーダ２０８に、適切にフォーマットされた形で供給するのに必要な処理を施す。その結果生成された信号は、テレビジョン受信機１０６又は他の表示器に伝送される。
【０００８】
受信機１０４は、放送ヘッドエンド１０２からの定期的な更新（ｕｐｄａｔｅ）を受信する。例えば、放送局は、各受信機１０４に最新の番組ガイド又はソフトウェアの更新を送信することができる。放送内容を受信するためには、受信機１０４のある電気回路に電力が供給されていなければならない。これは、ユーザがテレビジョン受信機１０６を視聴しておらず、受信機１０４のスイッチが入っていないときでさえも、受信機１０４の大部分の回路に常に電力が供給されていなければならないことを意味する。図示する具体例では、電源２２０は、少なくとも放送インタフェース回路２０４と、デジタルプロセッサ２０２と赤外線インタフェース２１４とに絶えず電力を供給している。ここに示す受信機１０４と同様の普通の受信機においては、電源を「オフ」にすると、実際には簡易表示器２１６に対してのみ電力が遮断される。電源をこまめに切る消費者（ｆｒｕｇａｌ ｃｏｎｓｕｍｅｒｓ）には気休めになるが、ほとんど電力の節約にはなっていない。
【０００９】
受信機１０４の大部分の回路に常に電力を供給しておくことは、電力と金銭の浪費である。更に、この種の受信機１０４が急速に普及しつつあり、現在起こっている電力不足の一因になっている。以上のことから、より電力効率のよい放送受信装置が必要とされていることは明らかである。
【００１０】
【発明が解決しようとする課題】
本発明の目的は、放送番組、ソフトウェア及びファームウェアの更新を受信する能力を維持したまま、省電力スタンバイモード（ｐｏｗｅｒ−ｓａｖｉｎｇ ｓｔａｎｄｂｙ ｍｏｄｅ）で動作する放送受信装置を提供することにある。
【００１１】
【課題を解決するための手段】
放送受信装置は、放送される更新を検出する更新センサを含む放送インタフェース回路を備える。
【００１２】
放送受信装置は、更新センサによって制御されるウェークアップスイッチを備え、ウェークアップスイッチは、スタンバイモードにおいて、最も消費電力の大きい回路に供給される電力を遮断する。更新センサは、比較的電力効率のよい回路であり、常に動作している。赤外線受信機や電源スイッチのようなユーザによって制御される入力回路もまた、常に動作している。
【００１３】
スタンバイモードにおいて、放送受信装置がウェークアップ命令を受信すると、更新センサは、ウェークアップスイッチを閉じ、更新を受信するのに必要な電気回路に電力を供給する。一具体例においては、更新を受信するのに必要でない電気回路である簡易表示器、Ｄ／Ａ変換器及びビデオエンコーダには、更新の間電力は供給されない。本発明のこの特徴により消費電力を抑えることができ、また簡易表示器及びスピーカに自動的に電源が入ることで、予期していなかったユーザを驚かせることもなくなる。
【００１４】
一具体例における放送受信装置は、第２の電源スイッチを備え、第２の電源スイッチは、ウェークアップスイッチによって制御されない電気回路に電力を選択的に供給する。ユーザが放送受信装置の電源を入れる命令を与えると、ウェークアップスイッチ及び第２の電源スイッチが（まだ閉じていなかった場合）閉じ、放送受信装置全体に電力が供給される。放送受信装置に設けられた簡易表示器は、殆どの場合、放送受信装置の電源が入っていることを視覚的に表示するものであり、オーディオ及びビデオ信号は、テレビジョン受信機のような外部表示装置上に表示される内容である。
【００１５】
更新の受信中に、ユーザが電源を切る命令を与えたときは、第２の電源スイッチのみが開き、更新を受信するのに必要な電気回路には電力が供給されたままである。一方、更新を受信していないときに、ユーザが電源を切る命令を与えたとき、ウェークアップスイッチ及び第２の電源スイッチが開き、放送受信装置をスタンバイモードにする。
【００１６】
発明の意図する範囲は、この課題を解決するための手段に限定されるものではなく、請求の範囲によって限定される。
【００１７】
【発明の実施の形態】
図３は、本発明に基づく放送受信機３００の構成を示すブロック図である。放送受信機３００は、図１及び図２に示す従来の受信機１０４と同様の電気回路を備えており、これらの電気回路には同じ番号を付している。しかしながら、放送受信機３００は、従来の受信機１０４とは異なり、放送番組、ソフトウェア及びファームウェアの更新を受信する能力を維持したまま、省電力スタンバイモード（ｐｏｗｅｒ−ｓａｖｉｎｇ ｓｔａｎｄｂｙ ｍｏｄｅ）で動作するように構成されている。データ及び制御信号の経路のほとんどは、本発明を理解する上では必要ではないため、説明を簡明にするために省略する。
【００１８】
本発明を適用した放送受信機３００は、放送インタフェース回路３０２を備え、放送インタフェース回路３０２は、ウェークアップスイッチ３０４と、更新センサ３０６とを有する。更新を受信するのに用いられる電気回路は、電源２２０に直接接続される代わりに、ウェークアップスイッチ３０４を介して電力が供給される。したがって、ウェークアップスイッチ３０４は、スタンバイモードにおいて、放送受信機３００内で最も消費電力の大きい回路に供給される電力を遮断する。更新センサ３０６は、比較的電力効率のよい回路であり、常に動作している。また、赤外線インタフェース２１４にも常に電力が供給されており、ユーザからの電源を入れる命令に応答できる状態にになっている。
【００１９】
スタンバイモードにおいて、放送受信機３００がウェークアップ命令を受信すると、更新センサ３０６は、ウェークアップ信号ＷＵをウェークアップラインを介してウェークアップイッチ３０４に供給する。それに応答して、ウェークアップスイッチ３０４が閉じ、スイッチパワーラインＳＰ１を介して、デジタルプロセッサ２０２などの更新を受信するのに必要な電気回路に電力が供給される。図３に示す具体例では、更新の受信に必要ない電気回路である、簡易表示器２１６、オーディオデジタル／アナログ変換器（以下、Ｄ／Ａ変換器という。）２０６、ビデオエンコーダ２０８などには、更新を受信している間は電力が供給されない。本発明のこの特徴により、消費電力を抑えることができ、また、テレビジョン受信機１０６及び放送受信機３００の電源が自動的に入ることによって、予期していなかったユーザを驚かせることもなくなる。
【００２０】
赤外線インタフェース２１４は、制御信号出力ラインを介して、第２の電源スイッチ３１０及び放送インタフェース回路３０２に接続されており、この制御信号をオンにする。具体的には、ユーザが、赤外線インタフェース２１４、又は放送受信機３００にオプションとして設けられたスイッチ（図示しない）を介して放送受信機３００に電源を入れる命令を与えると、制御信号出力ライン上の制御信号がオンとなり、ウェークアップスイッチ３０４を閉じ、入力信号を受信するのに必要な電気回路であるデジタルプロセッサ２０２などに電力が供給される。また、制御信号出力ライン上の制御信号がオンになることにより、第２の電源スイッチ３１０が閉じられ、簡易表示器２１６、Ｄ／Ａ変換器２０６及びビデオエンコーダ２０８に電力が供給される。第２の電源スイッチ３１０が閉じることで、簡易表示器２１６上の表示が「オン」の状態になるとともに、テレビジョン受信機１０６などの外部表示装置に必要な信号が供給される。一具体例においては、放送受信機３００は、放送受信機３００に設けられたソケット（図示しない）オンオフされるライン入力電圧を供給し、テレビジョン受信機１０６、又は他の装置に供給される電力を制御する。
【００２１】
ユーザは、一般的には、赤外線リモートコントロール１０８を用いて、赤外線インタフェース２１４と通信して、電源を切る命令を発行した場合には、制御信号出力ライン上の制御信号がオフとなり、ウェークアップスイッチ３０４及び第２の電源スイッチ３１０が開き、スイッチパワーラインＳＰ１，ＳＰ２を介して電源２２０に接続された電気回路に供給される電力を遮断する。この動作により放送受信機３００がスタンバイモードになる。このとき、赤外線インタフェース２１４及び放送インタフェース回路３０２にはまだ電力が供給されている。更新センサ３０６は、新しい番組ガイド、ソフトウェア、ファームウェアなどの更新を検出するために電源が入っている。
【００２２】
コンピュータのモニタ受像機をスタンバイモードからウェークアップさせるときに用いられるような従来のウェークアップ回路は、ウェークアップ回路に対する信号の有無に応じて電力を供給するようになっている。放送信号は、ほとんどの場合、常に存在しているため、放送受信機３００においては、この従来のウェークアップ回路は用いられることはできない。したがって、更新センサ３０６は、未処理の更新を示す信号と他の放送信号とを区別するように設計されている。
【００２３】
図４は、放送インタフェース回路３０２の構成の一具体例を示すブロック図である。放送インタフェース回路３０２は、従来のチューナ４００を備え、このチューナ４００は、多数の入力放送信号の中から１つの信号を選局し、関連する搬送波の周波数を除去することができる。更に、従来のデジタイザ４０２は、得られたビデオ信号をデジタル化し、生成されたデータをデジタルプロセッサ２０２に供給する。
【００２４】
チューナ４００及びデジタイザ４０２は、大量の電力を消費する。そのため、チューナ４００及びデジタイザ４０２は、ウェークアップスイッチ３０４を介して電源２２０（図３）に接続されており、スタンバイモードにおいては、チューナ４００及びデジタイザ４０２には電力は供給されない。
【００２５】
図４に示す具体例では、ウェークアップスイッチ３０４は、論理和（以下、ＯＲという）ゲート４０６を備え、ＯＲゲート４０６は、従来の電源スイッチ４１０に接続されており、この電源スイッチ４１０は、ほとんどの場合、継電器からなる。一方、更新センサ３０６は、簡単なチューナ回路を備えており、このチューナ回路は、１つの放送搬送波の周波数に関連したウェークアップ信号を監視するように設計されている。一具体例において、更新センサ３０６は、放送ウェークアップ信号の振幅が所定のレベルを超えるとともに、ノイズスパイクを除去するのに充分な時間継続したときに、イネーブリング論理１の出力信号をＯＲゲート４０６に供給する。すなわち、振幅の立ち上がりがウェークアップ命令を表している。更新センサ３０６が、ＯＲゲート４０６の一方の入力端子に論理１を供給すると、ＯＲゲート４０６は、論理１の出力信号を出力し、電源スイッチ４１０を閉じる。したがって、放送インタフェース回路３０２は、スイッチパワーラインＳＰ１を介して、続けて放送される更新を受信するのに必要な電気回路に電力を供給する。
【００２６】
更新センサ３０６は、放送受信機３００をスタンバイモードからウェークアップさせる際には、電源スイッチ３１０（図３）を閉じない。電源スイッチ３１０からの電力がないときには、簡易表示器２１６はオフのままであり、放送受信機３００は、オーディオ又はビデオ信号を、放送受信機３００に接続されたテレビジョン受信機１０６、又は他の表示装置に供給しない。したがって、ユーザからは、放送受信機３００はスタンバイモードにあるように見える。本発明のこの特徴は重要であり、ユーザは、放送受信機３００及び／又はテレビジョン受信機１０６に電源を入れる命令を与えていないにもかかわらず、放送受信機３００及び／又はテレビジョン受信機１０６のスイッチが自動的に入ることにより、驚いたりいらいらしたりすることがない。なお、放送受信機３００は、スタンバイモードであることをユーザに知らせてもよく、又は、単に電源が入っていないように見せてもよい。
【００２７】
図５は、放送局が、例えば極めて低いビットレートの非同期シリアル伝送を用いて、選択した特定の放送受信機３００のみを、ウェークアップさせることができるようにする更新センサ３０６の構成の一具体例を示すブロック図である。このような更新センサ３０６は、簡易ＡＭチューナ５００と、デジタイザ５０２と、シフトレジスタ５０４と、各放送受信機に固有の及び／又は放送受信機に認められた番組のレベルに固有の受信機識別子を格納した受信機識別子メモリ５０６と、比較器として機能する複数の排他的論理和（以下、ＸＯＲという）ゲート５０８と、論理積（以下、ＡＮＤという）ゲート５１０とを備える。デジタイザ５０２は、図４に示すデジタイザ４０２と同一であってもよいし、又は異なる回路であってもよい。デジタイザを１つとする場合には、放送受信機３００がスタンバイモードであるか否かによって、補助回路がチューナ４００，５００のうちの１つを選択するとともに、スタンバイモードにおいてもデジタイザに電力を供給するようにする。
【００２８】
図５に示す具体例では、ウェークアップ信号の振幅は、更新を受信している間、高レベルを保っている。他の具体例においては、デジタルプロセッサ２０２にスイッチ３０４から電力が供給されると、スイッチ３０４の制御がデジタルプロセッサ２０２に移動する。デジタルプロセッサ２０２は、放送受信機３００をいつスタンバイモードに戻すかを決定する。更に他の具体例においては、デジタルプロセッサ２０２に常に電力が供給されており、ウェークアップ命令に応答する高度な（ｉｎｔｅｌｌｉｇｅｎｔ）処理を提供する。
【００２９】
上述のように、チューナ５００は、放送局がウェークアップ信号を送信するのに用いる搬送波の周波数に同調されている。ウェークアップ信号は、受信機識別子メモリ５０６に格納されている番号の全て又は一部に一致する識別子を含んでいる。シフトレジスタ５０４の内容は、受信機識別子メモリ５０６に格納されている番号と連続して比較される。全ビットが一致するときには、６４個のＸＮＯＲゲート５０８は、６４個の論理１を、ＡＮＤゲート５１０の６４個の入力端子に供給する。ＡＮＤゲート５１０は、これらの出力信号の論理積を求めて論理１を出力し、これにより、スイッチ３０４が閉じる。なお、ＸＮＯＲゲート５０８の入力端子上の対応する２つのビットが一致しないときには、６４個のＸＮＯＲゲート５０８は、少なくとも１つの論理０を出力する。ＡＮＤゲート５１０に論理０が１つでも入力されると、ＡＮＤゲート５１０は論理０を出力し、スイッチ３０４が開き、放送受信機３００はスタンバイモードになる。
【００３０】
図５に示す具体例においては、まず初めに放送受信機３００がスタンバイモードにあるものとする。放送受信機３００は、ウェークアップ信号を受信したときに電源が入り、更新を受信するのに必要な電気回路に電力が供給される。ＡＮＤゲート５１０出力端子とデジタルプロセッサ２０２を接続して（図示しない）、放送受信機３００のＩＤが入力識別子と一致しているかどうかによって、入力更新を許可、又は不許可にすることができる。
【００３１】
簡易表示器２１６（図２）は、ユーザ入力に対して常に応答し、赤外線インタフェース２１４からのコマンドに応答して表示をオンにしたりオフにしたりする。ユーザを混乱させないために、更新センサ３０６は、簡易表示器２１６の表示を自動的にオンにしたりオフにしたりすることはできない。また、ウェークアップ命令により放送受信機３００をウェークアップしたときには、簡易表示器２１６は放送受信装置３００の電源が入ったことを表示しないので、ユーザは放送受信機３００に自動的に電源が入ったのを見て混乱することがない。同様に、ユーザが更新の最中に放送受信機３００の電源を切ることを選択した場合には、放送受信機３００は更新の処理を行ったまま、スイッチ３０４が開き、ビデオエンコーダ２０８、Ｄ／Ａ変換器２０６及び簡易表示器２１６の電源が切れる。更新が完了すると、放送受信機３００はスタンバイモードになる。他の具体例においては、簡易表示器２１６、又は発光ダイオードのような他の表示器が、表示が点灯したままの状態にあり、放送受信機３００がスタンバイモードにあることを表示する。
【００３２】
以上、特定の具体例を用いて本発明を説明したが、これらの具体例の変形は、当業者にとって明らかである。例えば、モデム２１０などの他の電気回路が、放送受信機３００をウェークアップさせる「オン」信号を与えるよう構成されていてもよい。したがって、請求の範囲及びその趣旨は、上述の説明に限定されるものではない。
【図面の簡単な説明】
【図１】
放送テレビジョンシステム１００の構成を示す図である。
【図２】
一般的な受信機１０４の構成を示すブロック図である。
【図３】
本発明を適用した放送受信装置３００の構成を示すブロック図である。
【図４】
放送インタフェース回路３０２の構成の一具体例を示すブロック図である。
【図５】
放送局が特定の放送受信装置３００のみを選択してウェークアップさせることができるようにする更新センサ３０６の構成の一具体例を示すブロック図である。
【図１】
2004524719.tif 000003
【図２】
2004524719.tif 000004
【図３】
2004524719.tif 000005
【図４】
2004524719.tif 000006
【図５】
2004524719.tif 000007
【国際公開パンフレット】
2004524719.tif 000008
2004524719.tif 000009
2004524719.tif 000010
2004524719.tif 000011
2004524719.tif 000012
2004524719.tif 000013
2004524719.tif 000014
2004524719.tif 000015
2004524719.tif 000016
2004524719.tif 000017
2004524719.tif 000018
2004524719.tif 000019
2004524719.tif 000020
2004524719.tif 000021
2004524719.tif 000022
2004524719.tif 000023
2004524719.tif 000024
2004524719.tif 000025
2004524719.tif 000026
2004524719.tif 000027
【国際調査報告】
2004524719.tif 000028
2004524719.tif 000029
2004524719.tif 000030